(57)【特許請求の範囲】
【請求項１】
調理鍋を誘導加熱する誘導加熱コイルと、該誘導加熱コイルに高周波電圧を印加するインバータ回路と、該インバータ回路を駆動する駆動回路と、該駆動回路に対して制御信号を出力して調理を行うマイコンとを備えた誘導加熱調理器において、
前記マイコンの割込入力端子に接続され、商用電源が出力する正弦波形の交流電圧に従ってゼロクロスパルス信号を出力するゼロクロス回路と、
前記マイコンの取込入力端子に接続され、調理鍋がセットされた状態では前記インバータ回路への入力電圧に従って鍋有りパルス信号を出力する鍋検知回路とを設け、
前記マイコンは、前記割込入力端子から入力されたゼロクロスパルス信号を基準として所定時間後に前記取込入力端子からの鍋有りパルス信号を取り込み、その取込信号に基づく比較値と予め設定した判定値とを比較し、前記調理鍋の有無を判断する構成とし、
前記マイコンの取込入力端子と鍋検知回路との間に、鍋有りパルス信号のパルス幅を伸ばすパルス幅伸長回路を更に設け、このパルス幅伸長回路によって伸びた鍋有りパルス信号を、前記ゼロクロスパルス信号を基準とした取込周期内で前記判定値を下回るように放電させるようにしたことを特徴とする誘導加熱調理器。
【請求項２】
前記パルス幅伸長回路は、鍋検知回路から鍋有りパルス信号が出力されたオン状態で充電し、オフ状態で放電する充放電回路部を備えることを特徴とする請求項１に記載の誘導加熱調理器。
【請求項３】
前記マイコンによる取込入力端子への信号の取り込みは、ゼロクロスパルス信号の立上点を計時始点としており、その時間は、ゼロクロスパルス信号のパルス幅を設定可能な範囲で最も広い波形時のセンターに至る時間に設定されていることを特徴とする請求項１または請求項２に記載の誘導加熱調理器。
【請求項４】
前記マイコンによる取込入力端子への信号の取り込みは、ゼロクロスパルス信号の立上点を計時始点としており、その時間は、ゼロクロスパルス信号のパルス幅を設定可能な許容範囲で最も広い波形時のセンターに至る時間に設定され、
前記判定値は、ゼロクロスパルス信号のパルス幅の許容範囲で最も狭い波形時で、かつ、鍋有りパルス信号のパルス幅を設定可能な許容範囲で最も狭い波形時に、前記パルス幅伸長回路によって生成される鍋有りパルス信号の放電曲線において、前記設定時間が経過した時点の電圧値であることを特徴とする請求項１または請求項２に記載の誘導加熱調理器。
【発明の詳細な説明】
【技術分野】
【０００１】
本発明は、炊飯器や電磁調理器などの誘導加熱調理器に関するものである。
【背景技術】
【０００２】
この種の誘導加熱調理器は、誘導加熱コイルと、高周波電圧を前記誘導加熱コイルに印加するインバータ回路と、該インバータ回路の駆動回路と、該駆動回路に制御信号を出力するマイコンとを備えている。このマイコンは、各センサからの検出信号を入力する複数の入力端子と、各負荷部品の駆動回路に制御信号を出力する複数の出力端子とを備え、入力端子に入力された信号に基づいて出力端子から制御信号を出力し、誘導加熱コイルによって非導電性材料からなる隔板を介して調理鍋を誘導加熱して調理を行う。
【０００３】
前記マイコンの入力端子としては、割込入力端子や取込入力端子を有している。割込入力端子は、優先順位が高い処理を行うための信号を入力するもので、常に信号の入力が可能なものであり、また、マイコンは入力された信号に基づいた処理を優先的に行う。取込入力端子は、優先順位が低い処理や入力時間が安定した処理を行うための信号を入力するもので、例えばＡＤ（アナログデジタル）変換入力端子であり、マイコンは予め設定されたプログラムに従って信号が入力されているか否かを取り込んで対応する処理を行う。
【０００４】
本発明の誘導加熱調理器に関連する先行技術文献情報としては次のものがある。
【０００５】
【特許文献１】特開平９−７７５１号公報
【特許文献２】特開平成１１−７６０４９号公報
【０００６】
この特許文献１には、調理鍋がセットされているか否か、および、調理鍋の代わりにスプーンなどの小物が置かれているか否かを検出するための鍋検知回路が実装された誘導加熱調理器が記載されている。この鍋検知回路は、交流波形を全波波形に整流した状態で電源電圧を検知する電源電圧検知回路と、整流回路の出力側に接続した電圧検知回路とを備え、これらの電圧を比較器で比較することにより、所定時間毎に出力されるパルス信号の有無により、調理鍋の有無を判断するものである。ここで、調理鍋は、調理中にユーザが意図的に取り外して空焚き状態になる可能性も有するものである。そのため、この鍋検知回路は、その鍋無し状態を迅速に検出するため、マイコンにおける割込入力端子に接続されている。
【０００７】
また、特許文献２には、特許文献１と同様に鍋検知回路を実装した炊飯器が記載されている。この鍋検知回路は、電源電流を検知するカレントトランスと、電流を電圧に変換して検知する電流検知回路からなる電源電圧検知回路とを備え、鍋の有無での出力値の違いにより鍋の有無を検出するものである。ここで、この特許文献２では、整流回路の出力側に直流電圧検知回路を接続していないため、インバータ回路の影響を受けることなく、安定して常に出力される。そのため、この鍋検知回路は、マイコンにおける取込入力端子に接続されている。
【０００８】
このような誘導加熱調理器に搭載するマイコンは、常に信号を入力可能な割込入力端子が多いものは高価であるため、割込入力端子数を最小限に抑えて取込入力端子を代用することがコストダウンを図ることができるため好ましい。しかし、引用文献１の構成では、仕向地による商用電源の周波数の相違、および、同一の周波数であっても多少の周波数変動により、鍋検知回路から出力される信号の入力時期が異なるため、取込入力端子を使用することはできない。
【０００９】
また、特許文献２の構成では、取込入力端子によって鍋の有無を確認する信号を入力しているため、特許文献１のような問題は生じることはない。しかし、制御基板にカレントトランスを実装するためのスペースが必要になるため、基板が大型化し、大幅なコストアップになるという問題がある。
【発明の開示】
【発明が解決しようとする課題】
【００１０】
本発明は、従来の問題に鑑みてなされたもので、大幅なコストアップにならず、取込入力端子から確実に調理鍋の有無を検出可能な誘導加熱調理器を提供することを課題とするものである。
【課題を解決するための手段】
【００１１】
前記課題を解決するため、本発明の誘導加熱調理器は、調理鍋を誘導加熱する誘導加熱コイルと、該誘導加熱コイルに高周波電圧を印加するインバータ回路と、該インバータ回路を駆動する駆動回路と、該駆動回路に対して制御信号を出力して調理を行うマイコンとを備えた誘導加熱調理器において、前記マイコンの割込入力端子に接続され、商用電源が出力する正弦波形の交流電圧に従ってゼロクロスパルス信号を出力するゼロクロス回路と、前記マイコンの取込入力端子に接続され、調理鍋がセットされた状態では前記インバータ回路への入力電圧に従って鍋有りパルス信号を出力する鍋検知回路とを設け、前記マイコンは、前記割込入力端子から入力されたゼロクロスパルス信号を基準として所定時間後に前記取込入力端子からの鍋有りパルス信号を取り込み、その取込信号に基づく比較値と予め設定した判定値とを比較し、前記調理鍋の有無を判断する構成とし、前記マイコンの取込入力端子と鍋検知回路との間に、鍋有りパルス信号のパルス幅を伸ばすパルス幅伸長回路を更に設け、このパルス幅伸長回路によって伸びた鍋有りパルス信号を、前記ゼロクロスパルス信号を基準とした取込周期内で前記判定値を下回るように放電させる構成としている。
【００１２】
この誘導加熱調理器によれば、ゼロクロス回路から出力されるゼロクロスパルス信号と鍋検知回路から出力される鍋有りパルス信号とが周期的に一致し、互いのパルス幅の中央が常に略一致する。また、ゼロクロスパルス信号のパルス幅および鍋有りパルス信号のパルス幅は、その基準値の変更により異なる。そして、本発明では、鍋有りパルス信号の幅が大きくなるように基準値を設定しておき、前記割込入力端子から入力されたゼロクロスパルス信号を基準として所定時間後に前記取込入力端子からの鍋有りパルス信号を取り込むことにより、仕向地による商用電源の周波数の相違や多少の周波数変動に拘わらず、取込入力端子から鍋有りパルス信号の入力の有無を検出することができる。その結果、高価な割込入力端子の数を削減でき、コストダウンを図ることができる。しかも、カレントトランスは使用しないため、大幅なコストアップは防止できる。
【００１３】
また、マイコンの取込入力端子と鍋検知回路との間に、鍋有りパルス信号のパルス幅を伸ばすパルス幅伸長回路を更に設けているため、高精度な基準値設定をすることなく、確実に鍋有りパルス信号を取込入力端子で検出することが可能になる。しかも、カレントトランスを用いた検知回路と比較すると、そのコストアップは最小限に抑えることができる。さらに、パルス幅伸長回路によって伸びた鍋有りパルス信号は、前記ゼロクロスパルス信号を基準とした取込周期内で前記判定値を下回るように放電する構成としているため、１回の鍋有りパルス信号を２回以上にわたって検出するという誤検出を防止できる。その結果、信頼性を向上することができる。
【００１４】
この誘導加熱調理器では、前記パルス幅伸長回路は、鍋検知回路から鍋有りパルス信号が出力されたオン状態で充電し、オフ状態で放電する充放電回路部を備えることが好ましい。
【００１５】
また、前記マイコンによる取込入力端子への信号の取り込みは、ゼロクロスパルス信号の立上点を計時始点としており、その時間は、ゼロクロスパルス信号のパルス幅を設定可能な範囲で最も広い波形時のセンターに至る時間に設定することが好ましい。
そして、前記判定値は、ゼロクロスパルス信号のパルス幅の許容範囲で最も狭い波形時で、かつ、鍋有りパルス信号のパルス幅を設定可能な許容範囲で最も狭い波形時に、前記パルス幅伸長回路によって生成される鍋有りパルス信号の放電曲線において、前記設定時間が経過した時点の電圧値であることが好ましい。
このようにすれば、確実に鍋有りパルス信号を取込入力端子で検出することができる。
【発明の効果】
【００１７】
本発明の誘導加熱調理器では、ゼロクロスパルス信号を基準として所定時間後に取込入力端子からの鍋有りパルス信号を取り込むことにより、仕向地による商用電源の周波数の相違や多少の周波数変動に拘わらず、取込入力端子から鍋有りパルス信号の入力の有無を検出することができる。しかも、鍋有りパルス信号のパルス幅を伸ばすパルス幅伸長回路を更に設けることにより、高精度な基準値設定をすることなく、確実に鍋有りパルス信号を取込入力端子で検出することができる。その結果、割込入力端子の数が多い高価なマイコンを使用する必要はないうえ、カレントトランスは使用しないため、コストアップを最小限に抑えることができる。
また、鍋有りパルス信号のパルス幅を伸ばすパルス幅伸長回路を更に設けているため、高精度な基準値設定をすることなく、確実に鍋有りパルス信号を取込入力端子で検出することが可能になる。しかも、鍋有りパルス信号は、ゼロクロスパルス信号を基準とした取込周期内で判定値を下回るように放電する構成としているため、１回の鍋有りパルス信号を２回以上にわたって検出するという誤検出を防止できる。
【発明を実施するための最良の形態】
【００１８】
以下、本発明の実施の形態を図面に従って説明する。
【００１９】
図１は、本発明の実施形態に係る誘導加熱調理器である炊飯器を示す。この炊飯器は、調理鍋である炊飯鍋１０を着脱可能に収容する炊飯器本体１１と、該炊飯器本体１１に回動可能に取り付けられた蓋体２０とからなる。
【００２０】
前記炊飯鍋１０は、熱伝導率が高いアルミ等からなる鍋母材の外面に、誘導加熱コイル１４への高周波電流の通電時に生じる渦電流によって電磁誘導加熱される強磁性材料をコーティングや接合等を施したものである。
【００２１】
前記炊飯器本体１１は、有底筒形状をなす胴体１２の内部に、前記炊飯鍋１０を収容する非導電性材料からなる保護枠１３を備えている。これら胴体１２と保護枠１３との間には、加熱手段である誘導加熱コイル１４と、炊飯鍋用温度センサ１５と、マイクロコンピュータ（以下、マイコンと略する。）４８を実装した制御基板２１と、冷却手段であるファン１６とが配設されている。なお、前記誘導加熱コイル１４は、フェライトコア１７によって該フェライトコア１７と前記保護枠１３との間に位置決めされている。また、前記制御基板２１とファン１６は、基板ホルダー１８によって一体に取り付けられている。さらに、この炊飯器本体１１の正面には、表示手段である液晶パネルの周囲に、入力手段である複数のスイッチを配設した操作パネル１９が配設されている。
【００２２】
前記蓋体２０は、上板と下板からなる外装体の底面に、前記炊飯鍋１０の上端開口を密閉する内蓋を配設した周知のものである。
【００２３】
前記制御基板２１は、電気回路を構成する多数の電子部品、ヒートシンク、および、制御手段であるマイコン４８が実装され、基板ホルダー１８によって装着されるものである。具体的には、この制御基板２１は、図２に示すように、全波整流回路２３と、インバータ回路２４と、駆動回路２６と、ゼロクロス回路２７と、鍋検知回路２８と、パルス幅伸長回路３７と、マイコン４８とを備えている。
【００２４】
前記全波整流回路２３は、低周波交流電源である商用電源２２から供給された交流電圧を、所定の直流電圧に変換して出力するものである。
【００２５】
前記インバータ回路２４は、高周波スイッチング素子としてトランジスタを用いる公知の回路であり、炊飯鍋１０を加熱するための前記誘導加熱コイル１４が両端に接続されている。また、このインバータ回路２４と全波整流回路２３とを接続する導電路には入力コンデンサ２５が接続され、該入力コンデンサ２５の他端が接地されている。
【００２６】
前記駆動回路２６は、インバータ回路２４のスイッチング素子をオン、オフ制御することにより誘導加熱コイル１４への通電をオン、オフ制御するもので、その入力側がマイコン４８の出力端子４８ａに接続され、出力側がインバータ回路２４に接続されている。
【００２７】
前記ゼロクロス回路２７は、商用電源２２が出力する正弦波形の交流電圧に従ってゼロクロスパルス信号を出力するもので、その入力側が商用電源２２と全波整流回路２３とを接続する導電路に接続される一方、その出力側がマイコン４８の割込入力端子４８ｂに接続されている。具体的には、このゼロクロス回路２７は、商用電源２２が出力する図３（Ａ）に示す正弦波形を図３（Ｂ）に示すように全波整流波形とし、第１基準（電圧）値と比較することにより、図３（Ｃ）に示すように、交流電圧の電圧値が０となる度に、ゼロクロスパルス信号をマイコン４８に送信する。
【００２８】
前記鍋検知回路２８は、炊飯鍋１０がセットされた状態ではゼロクロスパルス信号の出力に従った時間毎に鍋有りパルス信号を出力するものである。この鍋検知回路２８は、全波整流回路２３と入力コンデンサ２５のプラス側との間に接続された抵抗２９と、該抵抗２９に直列に接続されるとともに他極が接地された抵抗３０とを備えている。また、５Ｖの直流電源Ｖｃｃに接続されたダイオード３１と、該ダイオード３１に直列に接続されるとともに他極が接地されたコンデンサ３２とを備えている。そして、これら抵抗２９，３０の中点およびダイオード３１とコンデンサ３２との中点が、比較器であるコンパレータ３３のプラス側の入力端子に接続されている。さらに、鍋検知回路２８は、直流電源Ｖｃｃに接続された抵抗３４と、該抵抗３４に直列に接続されるとともに接地された抵抗３５を備えている。そして、これら抵抗３４，３５の中点は、コンパレータ３３のマイナス側の入力端子に接続されている。また、コンパレータ３３のマイナス側の入力端子と接続する導電路は、コンデンサ３６を介して接地されている。
【００２９】
この鍋検知回路２８は、図４（Ａ）に示すように、全波整流した直流電源の波形をコンデンサ３２によって図４（Ｂ）に示すように平滑化する。そして、炊飯鍋１０をセットした状態で誘導加熱を実行した正規負荷の場合、図４（Ｃ）に示すように、入力コンデンサ２５によりゼロクロス点毎に電圧が落ち込む。そのため、図４（Ｂ）に示す平滑した波形より低い第２基準（電圧）値を設定することにより、図４（Ｄ）に示すように、その第２基準値を下回る場合に鍋有りパルス信号がパルス幅伸長回路３７を介してマイコン４８の取込入力端子４８ｃに出力される。勿論、炊飯鍋１０がセットされていない場合には鍋有りパルス信号は出力されない。また、炊飯鍋１０以外の小物が置かれている場合には、第２基準値は下回らない程度で電圧値が落ち込むため、その落ち込みを検出することにより、異物が置かれていることも検出できる。
【００３０】
前記パルス幅伸長回路３７は、鍋検知回路２８のコンパレータ３３から出力された鍋有りパルス信号を、所定電圧（５Ｖ）まで昇圧して放電させることにより、図４（Ｅ）に示すように、鍋有りパルス信号のパルス幅を伸ばしてマイコン４８に出力するものである。具体的には、このパルス幅伸長回路３７は、第１トランジスタ３８および第２トランジスタ３９を備えている。第１トランジスタ３８のベースとエミッタとの間には、抵抗４０とコンデンサ４１とが並列に接続され、さらに直流電源Ｖｃｃと、抵抗４２を介して前記コンパレータ３３の出力側とがそれぞれ接続されている。第１トランジスタ３８のベースは第２トランジスタ３９のコレクタに接続されている。第１トランジスタ３８のコレクタは第２トランジスタ３９のベースに接続されるとともに、抵抗４３を介して充放電回路部４４に接続されている。第２トランジスタ３９のエミッタは充放電回路部４４に接続されている。前記充放電回路部４４は、コンデンサ４５と抵抗４６とを並列に接続したものである。コンデンサ４５は第２トランジスタ３９のエミッタに接続され、他極が接地されている。また、抵抗４６は抵抗４３を介して第１トランジスタ３８のコレクタおよび第２トランジスタ３９のベースに接続され、他極が接地されている。そして、コンデンサ４５と第２トランジスタ３９との中点、および、抵抗４３，４６の中点は、抵抗４７を介して後述するマイコン４８の取込入力端子４８ｃに接続されている。
【００３１】
前記充放電回路部４４において、コンデンサ４５は、コンパレータ３３から鍋有りパルス信号が出力されることによるパルス幅伸長回路３７のオン状態であれば充電され、オフ状態であれば放電する。そして、この放電時には、マイコン４８の取込入力端子４８ｃに電圧を印加する。このコンデンサ４５の充電に要する時間は極めて短い。一方、放電に要する時間は、抵抗４７の抵抗値を変更することにより調整可能である。本実施形態では、このパルス幅伸長回路３７によって伸ばされる鍋有りパルス信号は、ゼロクロスパルス信号を基準とした検出周期内で後述する判定値を下回るように放電する構成としている。
【００３２】
前記マイコン４８は、商用電源２２との接続時に、ゼロクロス回路２７からの入力信号によって供給される交流電力の周波数が５０Ｈｚか６０Ｈｚかを判定する周波数判定手段の役割をなす。そして、全波整流回路２３から供給される直流電圧によって動作され、予め設定されたプログラムに従って予熱、中ぱっぱ、沸騰維持、炊き上げ、むらし、２度炊きなどの炊飯処理を実行した後、続いて保温処理を実行するものである。
【００３３】
そして、これらの処理中には、割込入力端子４８ｂから入力されたゼロクロスパルス信号を基準として所定時間後に取込入力端子４８ｃに入力される鍋有りパルス信号を取り込み、その取込信号に基づく比較値と予め設定した判定値とを比較し、炊飯鍋１０の有無を判断し、炊飯処理または保温処理を続行するか否かを判断する構成としている。
【００３４】
ここで、この種の誘導加熱調理器である炊飯器が使用される家庭は、従来と同様に、仕向地によって商用電源２２の周波数が相違するうえ、同一周波数の仕向地であっても多少の周波数変動が存在する。また、入力される交流電圧も１００Ｖを基準として多少の変動が存在する。そして、このような使用環境の下で製品を正常に動作させるためには、動作可能な許容範囲を、電源電圧が８５〜１１５Ｖの間で、かつ、規定周波数の±３Ｈｚ、即ち、５０Ｈｚ地域では４７〜５３Ｈｚ、６０Ｈｚ地域では５７〜６３Ｈｚの間に設定する必要がある。
【００３５】
一方、ゼロクロスパルス信号のパルス幅Ｈ１は、商用電源２２からの電源電圧および周波数に影響され、電源電圧が高ければ狭くなる一方、電源電圧が低ければ広くなるうえ、周波数が高ければ狭くなる一方、周波数が低ければ広くなる。また、鍋有りパルス信号のパルス幅Ｈ２は、商用電源２２からの電源電圧に影響され、電源電圧が高ければ狭くなる一方、電源電圧が低ければ広くなる。勿論、これらのパルス幅Ｈ１，Ｈ２は、各基準値の設定によっても変動する。
【００３６】
そこで、本実施形態では、前記動作可能とする許容範囲内で誤検知することなく正常に動作させるために、ゼロクロスパルス信号のパルス幅Ｈ１が、許容範囲１４００〜２８００μｓ内、鍋有りパルス信号のパルス幅Ｈ２が、許容範囲３００〜５００μｓ内になるように、各基準電圧値を設定している。
【００３７】
また、ゼロクロス回路２７から出力されるゼロクロスパルス信号は、商用電源２２から出力される正弦波形を整流した波形に基づいて出力されるため、図３（Ｂ），（Ｃ）に示すように、そのパルス幅の中央であるセンター位置Ｃ１と全波整流波形の零点（電圧０Ｖ）とが一致する。一方、鍋検知回路２８から出力される鍋有りパルス信号は、商用電源２２から出力された正弦波形を全波整流回路２３によって整流した波形に基づいて出力され、入力コンデンサ２５によって全波整流波形の零点で電圧が降下する。そのため、図４（Ｃ），（Ｄ）に示すように、鍋有りパルス信号のセンター位置Ｃ２と全波整流波形の零点とが略一致する。従って、ゼロクロスパルス信号のセンターＣ１と、鍋有りパルス信号のセンターＣ２とは、略一致する。
【００３８】
そして、前記動作可能とする許容範囲内において、鍋有りパルス信号の出力時期の差が最も大きくなるのは、図５（Ａ）に示す最小設定条件の場合と、図５（Ｃ）に示す最大設定条件の場合とである。なお、図５（Ｂ）は、最大設定条件および最小設定条件の略中間設定条件の場合の、ゼロクロスパルス信号の波形、および、鍋有りパルス信号の波形である。ここで、最小設定条件とは、パルス幅Ｈ１，Ｈ２が最も狭くなる商用電源２２からの電源電圧が高く、周波数が高い場合である。また、最大設定条件とは、パルス幅Ｈ１，Ｈ２が最も広くなる商用電源２２からの電源電圧が低く、周波数が低い場合である。これら双方の条件では、ゼロクロスパルス信号の始まりである立上点を基準として、鍋有りパルス信号がいずれも出力されている重なり時期が存在しない。
【００３９】
そこで、本実施形態では、マイコン４８による取込入力端子４８ｃへの信号の取り込みは、ゼロクロスパルス信号の立上点を計時始点とし、計時する時間、即ち取込設定時間は、ゼロクロスパルス信号のパルス幅Ｈ１を設定可能な許容範囲で最も広い波形時（図５（Ｃ））のセンターに至る時間（図示では1400μｓ）に設定している。しかも、鍋有りパルス信号をパルス幅伸長回路３７により伸ばし、信号の有無を決定する判定値は、ゼロクロスパルス信号のパルス幅Ｈ１の許容範囲で最も狭い波形時で、かつ、鍋有りパルス信号のパルス幅Ｈ２を設定可能な許容範囲で最も狭い波形時に、前記パルス幅伸長回路３７によって生成される鍋有りパルス信号の放電曲線波形において、前記取込設定時間が経過した時点の電圧値に設定している。しかも、この判定値は、調理時における炊飯器を構成する各部品の温度が平衡状態の環境下で行うことが好ましい。ここで、温度が平衡状態の時には放電曲線波形の立ち下がりが最も速くなる。即ち、鍋有りパルス信号のパルス幅Ｈ２が最も狭くなるため、この状態で設定すれば部品温度が変化しても確実に信号の取り込みが可能になる。
【００４０】
また、本実施形態では、マイコン４８の取込入力端子４８ｃでの取込信号による鍋有無の検出精度を向上するために、判定値と比較する比較値は、複数の取込信号の平均値としている。具体的には、マイコン４８は、内蔵メモリに１８回分の取込信号である電圧値を記憶する。そして、最大と最小の電圧値を除く１６個の電圧値の平均値と比較値とし、予め設定した判定値と比較することにより、炊飯鍋１０の有無を判断（検出）する構成としている。因みに、１８回分の取込信号を蓄積するのに要する時間は、商用電源２２の周波数が６０Ｈｚの場合には約０．１５秒で、商用電源２２の周波数が５０Ｈｚの場合には約０．１８秒であり、極めて短時間で炊飯鍋１０の有無を検出することができる。
【００４１】
このように構成した炊飯器では、インバータ回路２４への入力電圧に従って鍋有りパルス信号を出力する鍋検知回路２８をマイコン４８の取込入力端子４８ｃに接続しているため、高価な割込入力端子４８ｂの数を削減でき、コストダウンを図ることができる。しかも、鍋有りパルス信号のパルス幅を伸ばすパルス幅伸長回路３７を実装しているが、鍋検知回路２８をカレントトランスは使用しない構成としているため、コストアップを最小限に抑えることができる。
【００４２】
そして、マイコン４８は、炊飯および保温処理中に、ゼロクロスパルス信号を基準として所定時間後に取込入力端子４８ｃからの鍋有りパルス信号を取り込むことにより、仕向地による商用電源２２の周波数の相違や多少の周波数変動に拘わらず、取込入力端子４８ｃから鍋有りパルス信号の入力の有無を検出することができる。
【００４３】
特に、本実施形態ではパルス幅伸長回路３７を設けている。そして、マイコン４８による取込入力端子４８ｃへの信号の取込設定時間は、ゼロクロスパルス信号の立上点からセンターに至るまでの時間に設定している。かつ、判定値は、ゼロクロスパルス信号のパルス幅が最も狭い波形時で、鍋有りパルス信号のパルス幅が最も狭い波形時に、前記設定時間が経過した時点の電圧値としている。そのため、図５（Ａ）〜（Ｃ）に示すように、設定可能な許容範囲内であれば、確実に鍋有りパルス信号を取込入力端子４８ｃで検出することができる。
【００４４】
そして、パルス幅伸長回路３７によって伸ばされた鍋有りパルス信号は、ゼロクロスパルス信号を基準とした取込周期内で判定値を下回るように放電されるため、１回の鍋有りパルス信号を２回以上にわたって検出するという誤検出を防止できる。さらに、取込入力端子４８ｃからの取込信号に基づく比較値は、複数の取込信号の平均値としているため、調理鍋の有無の判断に係る精度および信頼性を向上することができる。
【００４５】
なお、本発明の誘導加熱調理器は、前記実施形態の構成に限定されるものではなく、種々の変更が可能である。
【００４７】
例えば、前記実施形態では、仕向地によって相違する周波数（５０ｈｚまたは６０Ｈｚ）に拘わらず判定値を同一に設定しているが、それぞれ異なる判定値を設定しておき、マイコン４８がゼロクロス回路２７からの入力信号によって判定した周波数により、判定値を選択して適用する構成としてもよい。
【００４８】
さらに、前記実施形態では、本発明の構成を誘導加熱方式の炊飯器に適用したが、電磁調理器に適用しても同様の作用および効果を得ることができる。
【図面の簡単な説明】
【００４９】
【図１】本発明の実施形態の誘導加熱調理器である炊飯器を示す断面図である。
【図２】炊飯器の構成を示す回路図である。
【図３】（Ａ）〜（Ｃ）はマイコンに入力されるゼロクロスパルス信号の生成工程を示すグラフである。
【図４】（Ａ）〜（Ｅ）はマイコンに入力される鍋有りパルス信号の生成工程を示すグラフである。
【図５】（Ａ）〜（Ｃ）はゼロクロスパルス信号、鍋有りパルス信号および判定値の関係を示すグラフである。
【符号の説明】
【００５０】
１０…炊飯鍋（調理鍋）
１１…炊飯器本体（誘導加熱調理器）
１４…誘導加熱コイル
２２…商用電源
２３…全波整流回路
２４…インバータ回路
２５…入力コンデンサ
２６…駆動回路
２７…ゼロクロス回路
２８…鍋検知回路
３７…パルス幅伸長回路
４４…充放電回路部
４８…マイコン
４８ａ…出力端子
４８ｂ…割込入力端子
４８ｃ…取込入力端子
【図１】
0004448083.tif 000002
【図２】
0004448083.tif 000003
【図３】
0004448083.tif 000004
【図４】
0004448083.tif 000005
【図５】
0004448083.tif 000006